(57)【特許請求の範囲】
【請求項１】
被牽引型の走行フレームを備えた土壌の加熱消毒装置において用いられる索状体の巻き取り装置であって、走行フレームに連結した索状体を一定速度で巻き取るため、索状体の巻き上げプーリーと巻き上げられた索状体の巻き取りドラムとをベースに架設し、かつ、プーリー軸に、このプーリー軸を一定の速度で回転させる駆動回転機構を連結する一方、ドラム軸に定トルククラッチを備えて、この定トルククラッチとプーリー軸とを、ドラムによる索状体の巻き取り周速をプーリーによる索状体の巻き上げ周速よりも大にする増速機構によって連動連結して成ることを特徴とする索状体の巻き取り装置。
【請求項２】
ドラム軸と一体に回転可能な索状体の巻き取りドラムを、ドラム軸に対して挿抜可能に片持ち保持させ、かつ、ドラム軸にスプリング受け座を備えて、この受け座とドラムとの間に、ドラムを抜き出し方向に付勢するスプリングを設ける一方、ドラム軸からのドラムの抜け出しを阻止するためのストッパーを、ドラム軸に対して挿抜可能に備えてなる請求項１に記載された索状体の巻き取り装置。
【発明の詳細な説明】
【０００１】
【発明の属する技術分野】
本発明は、土壌の加熱消毒装置の走行フレームに連結したワイヤーやロープなどの索状体を一定速度で巻き取るための索状体（以下、ワイヤーという。）の巻き取り装置に関するものである。
【０００２】
【従来の技術】
例えば、被牽引型の走行フレームに熱湯の供給管を備えて、この供給管に、土壌内に向
かって突出する多数の熱湯導入部材をレーキ状に設け、かつ、この流体導入部材を通して高温の熱湯を土壌に導入させるようにした土壌の加熱消毒装置では、走行フレームの走行速度を一定にして牽引して、熱湯を万遍なく効率的に土壌に導入させることが要求される。
【０００３】
このような加熱消毒装置に限らず、速度を一定にして牽引することが要求されるものには、例えばクレーンによる巻き上げ対象物など各種のものがある。
【０００４】
これらを牽引するためのワイヤーの巻き取り装置として、例えばギヤドモーターなどの減速駆動装置に、ワイヤーの巻き取りドラムを連結して、このドラムにワイヤーを巻き取るようにしたものでは、ドラムへのワイヤーの巻き取りに伴って、それが二重や三重などの巻き取りになると、実質的に順次、ドラムの直径が大きくなることから、牽引速度が変化する点で問題がある。
【０００５】
このことから、図５に示すように、軸長の長いドラム６１と、このドラム６１の軸長方向に移動可能なガイド機構６２とをベース６３に備えて、ワイヤー６４をドラム６１に一重で綺麗に巻き取るようにしたワイヤー巻き取り装置が提案されるに至っている。
【０００６】
尚、図中の６５はドラム６１の駆動手段で、例えばギヤドモーターなどの減速駆動装置からなる。一方、ガイド機構６２は、ギヤドモーターなどの減速駆動装置６６と、この減速駆動装置６６の出力軸に連設のネジ軸６７と、このネジ軸６７の回転に伴ってネジ軸６７の軸線に移動する送りネジ駒６８と、この送りネジ駒６８に設けられたワイヤーガイド６９とからなる。
【０００７】
【発明が解決しようとする課題】
しかしながら、上記の構成による巻き取り装置では、巻き取りワイヤー６４の長さが長くなればなるほど、軸長の長いドラム６１を要することから、装置が大型化し、更には、ガイド機構６２を要することから、索状体の巻き取り装置のコストが高く付く点で問題があった。
【０００８】
本発明は、かゝる実情に鑑みてなされたものであって、その目的は、土壌の加熱消毒装置の走行フレームを牽引するワイヤーを一定速度で巻き取ることが可能なワイヤー巻き取り装置を、低価格で且つコンパクトなものにして提供する点にある。
【０００９】
【課題を解決するための手段】
上記の目的を達成するために、本発明は、被牽引型の走行フレームを備えた土壌の加熱消毒装置において用いられる索状体の巻き取り装置であって、走行フレームに連結したワイヤーを一定速度で巻き取るため、ワイヤーの巻き上げプーリーと巻き上げられたワイヤーの巻き取りドラムとをベースに架設し、かつ、プーリー軸に、このプーリー軸を一定の速度で回転させる駆動回転機構を連結する一方、ドラム軸に定トルククラッチを備えて、この定トルククラッチとプーリー軸とを、ドラムによるワイヤー巻き取り周速をプーリーによるワイヤー巻き上げ周速よりも大にする増速機構によって連動連結して成る点に特徴がある（請求項１）。
【００１０】
上記の構成によるワイヤー巻き取り装置において、ワイヤーの一端をドラムに連結固定し、このワイヤーを、プーリーに適宜、一巻きや二巻きなどして、このワイヤーの他端を被牽引物に連結した状態で、プーリー軸をワイヤー巻き上げ方向に一定の速度で回転させると、このプーリー軸の回転に連動して、かつ、定トルククラッチの作用によって、周速を大に設定したワイヤー巻き取りドラムが滑り回転しつつ、ワイヤーを巻き取ることになる。
【００１１】
一方、プーリーは、ワイヤーの一巻きや二巻きなどの状態を保持したままで一定の速度で回転することから、このプーリーの直径は常に変化することがないのであって、従って、プーリーによるワイヤーの巻き上げ速度が常に一定になることから、ワイヤーの巻き取りドラムとして、ワイヤーの巻き取りに伴って直径が大きくなる軸長の短いものを用いたとしても、被牽引物を常に一定速度で牽引することが可能となる。
【００１２】
従って、本発明によれば、図５に示したワイヤー巻き取り装置に比較して、ワイヤー巻き取り装置を、低価格で且つコンパクトなものにして提供することができる。
【００１３】
ここで好ましくは、ドラム軸と一体に回転可能なワイヤーの巻き取りドラムを、ドラム軸に対して挿抜可能に片持ち保持させ、かつ、ドラム軸にスプリング受け座を備えて、この受け座とドラムとの間に、ドラムを抜き出し方向に付勢するスプリングを設ける一方、ドラム軸からのドラムの抜け出しを阻止するためのストッパーを、ドラム軸に対して挿抜可能に備えることである（請求項２）。
【００１４】
即ち、例えば遠く離れた場所にある被牽引物にワイヤーの他端を連結する際には、プーリーに巻き掛けたワイヤーをプーリーから外して、このワイヤーの他端を引っ張りつつ、駆動回転機構によってドラムを逆転駆動させることで達成される。
【００１５】
しかし、この操作の形態では、ドラムを逆転駆動させた際に、ドラムに巻き取られたワイヤーが緩んで、所謂パーマネント現象を生じることがあることから、ワイヤーの他端を常に引っ張っておく必要がある。
【００１６】
この点にあって、上記の構成によれば、ドラム軸からワイヤー巻き取りドラムを取り外して、これを被牽引物のある場所にまで運び、そして、ワイヤーの他端を被牽引物に連結する一方、ドラムを例えばパイプ等によって回転可能に保持して、このドラムを元の場所に戻し、かつ、ドラム軸にセットすることで、上記の不具合は生じなくなるのである。
【００１７】
【発明の実施の形態】
以下、本発明の実施の形態を図面に基づいて説明する。図１及び図２はワイヤー１の巻き取り装置２を示し、図３及び図４は土壌の加熱消毒装置３を示している。
【００１８】
加熱消毒装置３は、ループに構成されたパイプによる走行フレーム４に、複数対のブラケット５，５を備えて、各対のブラケット５，５に、圃場面を転がり回転するバルーンタイプの車輪６を設ける一方、走行フレーム４のループに構成されたパイプを熱湯の供給管７として、この内の牽引方向で後方側の熱湯供給管７に、圃場の土壌内に突入して熱湯を土壌内部に導く熱湯導入部材８を設け、かつ、この熱湯導入部材８に向けて熱湯を供給するための熱湯供給口ａを、熱湯供給管７に形成すると共に、更に、熱湯供給ホース９を接続するための熱湯導入管１０を熱湯供給管７に設けてなる。
【００１９】
ここで、この実施の形態では、熱湯導入部材８を金属製の丸棒にして、この熱湯導入部材８を、熱湯供給管７に対して後方斜め下方に傾斜させて、かつ、供給管７の長手方向に所定の間隔を隔ててレーキ状に配置して、熱湯供給口ａから吐出された熱湯を熱湯導入部材８に伝わせて、この熱湯を土壌内部に導かせるようにしている。
【００２０】
従って、土壌の加熱消毒に際しては、例えばワイヤー巻き取り装置２の設置部付近に熱湯供給手段１１を配置して、これに接続の熱湯供給ホース９を熱湯導入管１０に接続し、かつ、走行フレーム４に備えた牽引アーム１２に、ワイヤー巻き取り装置２のワイヤー１を連結して、ワイヤー巻き取り装置２によって加熱消毒装置３を牽引しつつ、例えば約９０℃の熱湯を、供給管７の熱湯供給口ａから熱湯導入部材８に向けて供給するのであり、これによって熱湯が、熱湯導入部材８を伝って土壌内部に浸透することで、土壌が加熱消毒されるのである。
【００２１】
次に、ワイヤー巻き取り装置２について説明する。このワイヤー巻き取り装置２を示す図１及び図２において、図中の２１はベース２２に立設された架台で、この架台２１の横一側にはワイヤー１の振れ止めガイド２３とガイドプーリー２４とが備えられている。
【００２２】
２５はプーリー軸、２６はドラム軸であって、それぞれ一対の軸受２７，２７を介して、かつ、それぞれ軸線を互いに平行にして、架台２１に架設されており、プーリー軸２５の一端側には、ガイドプーリー２４と同位相にして、ワイヤー１の巻き上げプーリー２８が片持ち保持の状態で固着されている。
【００２３】
２９はドラム軸２６の一端側に挿抜可能に片持ち保持されたワイヤー巻き取りドラムで、ドラム軸２６の軸受２７側にスプリング受け座３０を備えて、この受け座３０とドラム２９との間に、ドラム２９を抜き出し方向に付勢するスプリング３１を設ける一方、スプリング３１を圧縮させた状態で、ドラム軸２６からのドラム２９の抜け出しを阻止するためのストッパー３２を、ドラム軸２６に対して挿抜可能に備えて、ワイヤー巻き取りドラム２９をドラム軸２６と一体に回転可能に構成している。
【００２４】
３３はドラム軸２６を定速回転させるための駆動回転機構であって、モータＭとこれにクラッチ接続される減速装置３４とをベース２２に搭載すると共に、この減速装置３４の出力軸３５とプーリー軸２５とにスプロケットホイール３６，３６を設け、かつ、両ホイール３６，３６にわたってエンドレスのチエーン３７を巻き掛けてなる。
【００２５】
３８はドラム軸２６の他端側に設けられた定トルククラッチ、３９はクラッチ３８の入力側部材４０とプーリー軸２５とにわたって備えられた増速機構で、この増速機構３９は、クラッチ３８の入力側部材４０とプーリー軸２５のそれぞれにスプロケットホイール４１，４１を設けると共に、両ホイール４１，４１にわたってエンドレスのチエーン４２を巻き掛けてなり、かつ、ドラム２９によるワイヤー１の巻き取り周速を、プーリー２８によるワイヤー巻き上げ周速よりも大にするように、プーリー２８のワイヤー巻き上げ直径と、ドラム２９のワイヤー巻き掛け直径、及び、ホイール４１，４１のピッチ径を設定している。
【００２６】
上記の構成によるワイヤー巻き取り装置２によれば、ワイヤー１の一端をドラム２９に連結固定し、このワイヤー１を、プーリー２８に適宜、一巻きや二巻きなどして、ガイドプーリー２４に巻き掛け、更に、このワイヤー１を振れ止めガイド２３に挿通させて、ワイヤー１の他端を加熱消毒装置３に連結した状態で、プーリー軸２５をワイヤー巻き上げ方向に一定の速度で回転させると、周速を大に設定したワイヤー巻き取りドラム２９が、プーリー軸２５の回転に連動して、かつ、定トルククラッチ３８の作用によって滑り回転しつつ、ワイヤー１を巻き取るようになる。
【００２７】
一方、プーリー２８は、ワイヤー１の一巻きや二巻きなどの状態を保持したままで回転して、常に一定の速度でワイヤー１を巻き上げることから、ワイヤー１の巻き取りに伴ってドラム２９の直径が順次大きくなるにも拘らず、加熱消毒装置３は常に一定速度で牽引されるようになり、従って、かゝる構成のワイヤー巻き取り装置２によって加熱消毒装置３を牽引すれば、熱湯が熱湯導入部材８を伝って土壌内部に万遍なく浸透することで、土壌を効率的に加熱消毒することができる。
【００２８】
加熱消毒装置３による往路の加熱消毒を終えたならば、ワイヤー巻き取り装置２のストッパー３２を外して、ワイヤー巻き取りドラム２９をドラム軸２６から取り出し、かつ、加熱消毒装置３の復路の端部側にワイヤー巻き取り装置２を移動させて設置する一方、ドラム２９を例えばパイプ等によって回転可能に保持して、ワイヤー１を巻き戻しつつ、このドラム２９をワイヤー巻き取り装置２の設置部に運び、これをドラム軸２６にセットして、スプリング３１を圧縮させた状態で、ドラム軸２６にストッパー３２を装着するのであって、爾後は、上記のサイクルを繰り返すことで、熱湯による圃場の加熱消毒を完了するのである。
【００２９】
尚、加熱消毒装置３の往復路の端部側にワイヤー巻き取り装置２を移動させることが面倒であれば、ワイヤー巻き取り装置２の２台を用意して、加熱消毒装置３が往復路の端部に移動した際に、ワイヤー巻き取り装置２を、次の往復路の端部に少しだけ移動させる形態をとればよいのである。
【００３０】
尤も、ワイヤー巻き取り装置２による牽引対象は、加熱消毒装置３に限られるものではない。
【００３１】
【発明の効果】
以上説明したように、本発明によれば、土壌の加熱消毒装置の走行フレームを牽引する従来の構成によるワイヤー巻き取り装置に、ワイヤーの巻き上げプーリーを備えて、プーリー軸を一定の速度で回転させる一方、ドラム軸に定トルククラッチを備えて、このクラッチを介してワイヤー巻き取りドラムを滑り回転させるように構成したことで、ワイヤーを一定速度で巻き取ることができるようになったのであり、これによって、ワイヤーの巻き取りドラムとして、ワイヤーの巻き取りに伴って直径が大きくなる軸長の短いものを用いたとしても、被牽引物を常に一定速度で牽引することができるのであって、従って、本発明によれば、ワイヤーを一定速度で巻き取ることが可能なワイヤー巻き取り装置を、低価格で且つコンパクトなものにして提供することができる。
【図面の簡単な説明】
【図１】ワイヤー巻き取り装置の平面図である。
【図２】ワイヤー巻き取り装置の側面図である。
【図３】加熱消毒装置の平面図である。
【図４】図３のＸ−Ｘ線断面図である。
【図５】従来例のワイヤー巻き取り装置の概略平面図である。
【符号の説明】
１…ワイヤー、２２…ベース、２５…プーリー軸、２６…ドラム軸、２８…ワイヤー巻
き上げプーリー、２９…ワイヤー巻き取りドラム、３０…スプリング受け座、３１…スプ
リング、３２…ストッパー、３３…駆動回転機構、３８…定トルククラッチ。
【図１】
0003580422.tif 000002
【図２】
0003580422.tif 000003
【図３】
0003580422.tif 000004
【図４】
0003580422.tif 000005
【図５】
0003580422.tif 000006